(57)【特許請求の範囲】
【請求項１】
公衆回線網を介した着信が検出された場合に着信ベルを鳴動させるための着信ベル信号を出力する着信鳴動部と、
省エネルギーモード又は通常モードで動作し、前記通常モードで動作している場合にのみ前記着信鳴動部を制御する第１制御部と、
前記第１制御部が省エネルギーモード又は省エネルギーモードから通常モードへの復帰中である場合に前記着信鳴動部を制御する第２制御部と、
規定された着信ベルの鳴動回数を記憶する鳴動規定回数記憶部と、
を備え、
前記第２制御部は、前記鳴動規定回数記憶部に記憶された鳴動回数に基づいて前記着信鳴動部を制御する、
ファクシミリ装置。
【請求項２】
前記鳴動規定回数記憶部は、規定された着信ベルの鳴動回数を記憶する第１記憶部と、規定された着信ベルの鳴動回数を記憶する第２記憶部と、を有し、
前記第１制御部は、前記第１記憶部に記憶された鳴動回数に基づいて、前記着信鳴動部を制御し、
前記第２制御部は、前記第２記憶部に記憶された鳴動回数に基づいて、前記着信鳴動部を制御する請求項１に記載のファクシミリ装置。
【請求項３】
前記着信鳴動部は、前記規定された着信ベルの鳴動回数に基づき前記着信ベル信号を出力する請求項１又は２に記載のファクシミリ装置。
【請求項４】
公衆回線網を介した着信が検出された場合に着信ベルを鳴動させるための着信ベル信号を出力する着信鳴動部と、
省エネルギーモード又は通常モードで動作し、前記通常モードで動作している場合にのみ前記着信鳴動部を制御する第１制御部と、
前記第１制御部が省エネルギーモード又は省エネルギーモードから通常モードへの復帰中である場合に前記着信鳴動部を制御する第２制御部と、
を備え、
前記第２制御部は、前記第１制御部が通常モードへ復帰した後に前記第２制御部による前記着信鳴動部に対する制御結果を前記第１制御部に通知する結果通知部を有する、
ファクシミリ装置。
【請求項５】
公衆回線網を介した着信が検出された場合に着信ベルを鳴動させるための着信ベル信号を出力する着信鳴動部と、
省エネルギーモード又は通常モードで動作し、前記通常モードで動作している場合にのみ前記着信鳴動部を制御する第１制御部と、
前記第１制御部が省エネルギーモード又は省エネルギーモードから通常モードへの復帰中である場合に前記着信鳴動部を制御する第２制御部と、
を備え、
前記第２制御部は、前記第２制御部が前記着信鳴動部を制御している間に前記第１制御部が通常モードへ復帰した場合に、前記第１制御部が通常モードへ復帰するまでの前記着信鳴動部に対する前記第２制御部による制御結果を前記第１制御部に通知する結果通知部を有する、
ファクシミリ装置。
【発明の詳細な説明】
【技術分野】
【０００１】
本発明は、省エネルギーモードを有するファクシミリ装置に関する。
【背景技術】
【０００２】
近年、ファクシミリ通信機能及び通話機能を有するファクシミリ装置に、さらにプリンタ機能及びコピー機能等の複数の機能を複合させた複合型のファクシミリ装置が普及している。
また、省電力化を実現するために、ジョブ要求に応じて即時に動作が可能である通常モードと、通常モードより消費電力を減少させた省エネルギーモードとの間を移行可能な複合型のファクシミリ装置が提案されている。
【先行技術文献】
【特許文献】
【０００３】
【特許文献１】特開２００５−３５４３７６号公報
【発明の概要】
【発明が解決しようとする課題】
【０００４】
省エネルギーモードにおいては、公衆回線網を介した着信の制御を行う制御部等はスリープ状態に移行している。従って、このような省エネルギーモードの際に外部装置から着信を受けた場合には、制御部は着信の制御を行えないため、着信を知らせる着信ベルが制御されずに規定回数を超えて鳴動し続けるという問題があった。
【０００５】
本発明の課題は、省エネルギーモードを備えるファクシミリ装置において、省エネルギーモード中の着信の鳴動回数を制御することにある。
【課題を解決するための手段】
【０００６】
以下に、課題を解決するための手段として複数の態様を説明する。これら態様は、必要に応じて任意に組み合せることができる。
【０００７】
本発明の一見地に係るファクシミリ装置は、着信鳴動部と、第１制御部と、第２制御部とを備える。着信鳴動部は、公衆回線網を介した着信が検出された場合に着信ベルを鳴動させるための着信ベル信号を出力する。第１制御部は、省エネルギーモード又は通常モードで動作し、通常モードで動作している場合にのみ着信鳴動部を制御する。第２制御部は、第１制御部が省エネルギーモード又は省エネルギーモードから通常モードへの復帰中である場合に着信鳴動部を制御する。
ここでは、第１制御部が省エネルギーモード又は省エネルギーモードから通常モードへの復帰中であっても、第１制御部に代わって第２制御部が着信鳴動部を制御できる。従って、ファクシミリ装置において、モードの状態に関係なく着信鳴動部による着信ベル信号の発生を制御できるため、着信ベルが必要以上に鳴動し続けることを防止できる。
【０００８】
規定された着信ベルの鳴動回数を記憶する鳴動規定回数記憶部をさらに備え、第２制御部は、鳴動規定回数記憶部に記憶された鳴動回数に基づいて着信鳴動部を制御してもよい。
鳴動規定回数記憶部は、規定された着信ベルの鳴動回数を記憶する第１記憶部と、規定された着信ベルの鳴動回数を記憶する第２記憶部と、を有し、第１制御部は、第１記憶部に記憶された鳴動回数に基づいて、着信鳴動部を制御し、第２制御部は、第２記憶部に記憶された鳴動回数に基づいて、着信鳴動部を制御してもよい。
【０００９】
着信鳴動部は、規定された着信ベルの鳴動回数に基づき着信ベル信号を出力してもよい。
第２制御部は、第１制御部が通常モードへ復帰した後に第２制御部による着信鳴動部に対する制御結果を第１制御部に通知する結果通知部を有していてもよい。
第２制御部は、第２制御部が着信鳴動部を制御している間に第１制御部が通常モードへ復帰した場合に、第１制御部が通常モードへ復帰するまでの着信鳴動部に対する第２制御部による制御結果を第１制御部に通知する結果通知部を有していてもよい。
【発明の効果】
【００１０】
本発明に係るファクシミリ装置では、省エネルギーモードで動作している状態でも公衆回線網を介した着信の鳴動回数の制御を行えるので、規定回数以上に着信ベルが鳴動することを防止できる。
【図面の簡単な説明】
【００１１】
【図１】ファクシミリ装置の全体構成を示すブロック図。
【図２】基本ブロック及びサブ制御ユニットの内部構成を示すブロック図。
【図３】メイン制御ユニット、サブ制御ユニット及びＮＣＵの間における処理の流れを示すフローチャート。
【発明を実施するための形態】
【００１２】
１．第１実施形態
（１）ファクシミリ装置の概要
以下、図１を参照して、本実施形態におけるファクシミリ装置１を説明する。図１は、本実施形態のファクシミリ装置の全体構成を示すブロック図である。ファクシミリ装置１は、コピー機能、ファクシミリ通信機能、スキャナ機能及びネットワークプリンタ機能を有するいわゆる複合機である。
【００１３】
ファクシミリ装置１は、基本ブロック１０、サブ制御ユニット３０、機能ブロック４０、電力供給装置５０及び電力供給コントローラ６０を備える。ファクシミリ装置１は、さらにシステムバス７０を備えており、ファクシミリ装置１内の各部はシステムバス７０によって互いに接続されている。
ファクシミリ装置１は、さらに鳴動規定回数記憶部１００（図２参照）を備える。さらに、ファクシミリ装置１には、図示しないケーブルを介して電話機９０が接続され、この電話機９０によって、相手側との間で音声データの送受信、すなわち電話動作を行うことができる。
【００１４】
ファクシミリ装置１には、通常モード及び省エネルギーモードが設定されている。ファクシミリ装置１の状態は、後述するメイン制御ユニット１１のＣＰＵ（Ｃｅｎｔｒａｌ  Ｐｒｏｃｅｓｓｉｎｇ  Ｕｎｉｔ）１２の制御のもと、通常モード及び省エネルギーモードの間を移行できる。通常モードとは、何らかの動作指示があった場合には、ファクシミリ装置１がその動作指示に基づいて直ぐに処理を実行できる状態をいう。省エネルギーモードとは、通常モードの消費電力よりも消費電力が低い状態をいう。例えば、省エネルギーモードでは、ファクシミリ装置１においてメイン制御ユニット１１への電力供給が下げられてメイン制御ユニット１１の各部はスリープ状態となる。また、省エネルギーモードでは、機能ブロック４０への電力供給が下げられ、機能ブロック４０の操作部４２及び表示部４５は非表示状態となり、記録部４６における待機温度を下げた状態等となる。
【００１５】
ファクシミリ装置１は、操作部４２及び表示部４５からの操作入力が一定時間ない場合又は画像データの入力が一定時間ない場合に、ＣＰＵ１２の制御により通常モードから省エネルギーモードに移行される。また、ファクシミリ装置１は、操作部４２及び表示部４５から通常モードへの復帰操作の入力を受け付けた場合に、ＣＰＵ１２の制御により省エネルギーモードから通常モードへと復帰する。また、本実施形態では、ファクシミリ装置１は、サブ制御ユニット３０からの復帰リクエストを受け付ければ、ＣＰＵ１２の制御により省エネルギーモードから通常モードへと復帰するが、詳細は後述する。
【００１６】
基本ブロック１０は、ファクシミリ装置１の基本動作を制御し、また公衆回線網（図中、ＰＳＴＮ：Ｐｕｂｌｉｃ  Ｓｗｉｔｃｈｅｄ  Ｔｅｌｅｐｈｏｎｅ  Ｎｅｔｗｏｒｋ）８０を介した通信の送受信の制御をする。基本ブロック１０は、メイン制御ユニット１１及びＮＣＵ（Ｎｅｔｗｏｒｋ  Ｃｏｎｔｒｏｌ  Ｕｎｉｔ）２０を有する。
【００１７】
ファクシミリ装置１の図示しない主電源がＯＮであり、ファクシミリ装置１が通常モードの場合には、基本ブロック１０に対して電力供給装置５０から電力供給コントローラ６０を介して電力が常に供給される。
また、ファクシミリ装置１が省エネルギーモード中は、電力供給コントローラ６０によってメイン制御ユニット１１への電力供給は低減され、メイン制御ユニット１１はスリープ状態となる。一方、ＮＣＵ２０に対しては、ファクシミリ装置１が省エネルギーモード中であっても、電力供給コントローラ６０により一定の電力が供給され、ＮＣＵ２０は、通常モードと同様に公衆回線網８０を介した信号を検知できる。基本ブロック１０及びＮＣＵ２０の詳細は後述する。
【００１８】
サブ制御ユニット３０は、ファクシミリ装置１が省エネルギーモードの状態である又は省エネルギーモードから通常モードへ復帰している際に、メイン制御ユニット１１に代わって、公衆回線網８０を介した通信に関する着信の制御をする。ファクシミリ装置１の主電源がＯＮの場合には、ファクシミリ装置１が通常モード及び省エネルギーモードのいずれの状態であっても、サブ制御ユニット３０には電力供給装置５０から一定の電力が供給される。サブ制御ユニット３０の詳細は後述する。
【００１９】
機能ブロック４０は、コピー機能、ファクシミリ通信機能、スキャナ機能及びネットワークプリンタ機能を実行する。機能ブロック４０には、電力供給コントローラ６０を介して、通常モード及び省エネルギーモードに応じた電力が電力供給装置５０から供給される。機能ブロック４０は、読取部４１と、操作部４２と、画像メモリ４３と、コーデック４４と、表示部４５と、記録部４６と、ＬＡＮインターフェース（図中、Ｉ／Ｆ）４７とを有する。
【００２０】
読取部４１は、原稿の画像データを読み取り、読み取った２値化データ等をメイン制御ユニット１１のＣＰＵ１２の指示により所定の出力先へ出力する。
操作部４２は、ワンタッチダイヤルにより宛先を指定するためのワンタッチキー、ファクシミリ装置１に対して送信開始指示を与えるためのスタートキー、電話番号等の入力を行うテンキー及び表示部４５内の反転表示の移動等を行うための矢印キー等を具備する。ユーザによる操作指示は、操作部４２によって受け付けられる。
【００２１】
画像メモリ４３は、受信する画像データと、読取部４１で読み取られて白黒２値に変換され、コーデック４４で符号化された画像データとを一時的に記憶する。
コーデック４４は、所定のプロトコルに対応して画像データを符号化及び復号化する。具体的にコーデック４４は、読取部４１から受け取った画像データを送信のためにＭＨ（Ｍｏｄｉｆｉｅｄ  Ｈｕｆｆｍａｎ）及びＭＲ（Ｍｏｄｉｆｉｅｄ  ＲＥＡＤ）方式等により符号化し、外部装置から受信した画像データを復号化する。また、コーデック４４は、電子メールに添付可能なファイルとして一般的に利用される画像フォーマットであるＴＩＦＦ方式等にも対応して画像データを符号化及び復号化する。
【００２２】
表示部４５は、表示パネル等からなり、ファクシミリ装置１の状態に関する情報、各種操作指示画面及びファクシミリ装置１の状態を表示する。
記録部４６は、例えば電子写真方式のものからなり、受信した画像データを用紙上に画像形成し、用紙を排出する。例えば、読取部４１で読み取った原稿の画像データ、ファクシミリ受信した画像データ、及びＬＡＮを介して受信した画像データ等を用紙上に印刷する。
【００２３】
ＬＡＮ  Ｉ／Ｆ４７は、同じＬＡＮ上に設置された他の機器との間で、ＳＬＰ又はＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）を利用してデータの送受信を行う。
【００２４】
電力供給装置５０は、交流の商用電源を直流に変換しファクシミリ装置１へ供給する電源装置である。電力供給装置５０は、主電源がオンの状態では、電力供給コントローラ６０の制御のもと、通常モード又は省エネルギーモードに応じた電力をファクシミリ装置１の各部に供給する。
【００２５】
電力供給コントローラ６０は、電磁リレー及びＦＥＴ（電界効果トランジスタ）等を含み、ファクシミリ装置１の各部と電力供給ライン６１を介して接続される。電力供給コントローラ６０は、メイン制御ユニット１１のＣＰＵ１２からの制御命令に従って、電力供給ライン６１の接続及び遮断を行い、通常モード又は省エネルギーモードに応じた電力をファクシミリ装置１の各部に供給する。
鳴動規定回数記憶部１００は、規定された電話機９０の着信ベルの鳴動回数を記憶する。本実施形態において、鳴動規定回数記憶部１００は、第１鳴動規定回数記憶部１８及び第２鳴動規定回数記憶部３５を有するが、詳細は後述する。
【００２６】
（２）基本ブロックの機能構成
次に基本ブロック１０の機能構成について図２を参照して説明する。図２は、基本ブロック及びサブ制御ユニットの内部構成を示すブロック図である。基本ブロック１０は、前述のとおりメイン制御ユニット１１及びＮＣＵ２０を有する。
【００２７】
（２−１）ＮＣＵ
ＮＣＵ２０は、公衆回線網８０に接続されており、電話回線２９を介して発呼及び着呼を含む通信を制御する。本実施形態におけるＮＣＵ２０は、電話回線２９において所定のレベルを超えた信号を検出し電話回線２９の回線変化を検出すれば、メイン制御ユニット１１のＣＰＵ１２又はサブ制御ユニット３０のサブＣＰＵ３１に対して電話回線２９の回線変化を通知する。その後ＮＣＵ２０は、メイン制御ユニット１１のＣＰＵ１２又はサブ制御ユニット３０のサブＣＰＵ３１によって制御される。以下のＮＣＵ２０の説明では、ファクシミリ装置１が通常モードであって、ＮＣＵ２０がメイン制御ユニット１１のＣＰＵ１２によって制御されている例を挙げて説明する。
【００２８】
ＮＣＵ２０は、ＣＭＬリレー２１、第１トランス２２、信号検出回路２３、オフフック検出回路２４、着信鳴動部２７、第２トランス２８及び電話回線２９を有する。
【００２９】
ＣＭＬリレー２１は、電話回線２９を、モデム１６と信号検出回路２３とに選択的に接続するために設けられている。ＣＰＵ１２の制御により、ＣＭＬリレー２１がａ接点側に切り換えられたときには、電話回線２９が信号検出回路２３に接続される。一方、ＣＰＵ１２の制御により、ＣＭＬリレー２１がｂ接点側に切り換えられたときには、電話回線２９が第１トランス２２を介してモデム１６に接続される。ファクシミリ装置１が外部装置からの着信を待機している状態では、ＣＭＬリレー２１はａ接点側に接続されている。
【００３０】
信号検出回路２３は、ＣＭＬリレー２１のａ接点側に接続されるように配置され、電話回線２９を介して外部装置から送信されてくる信号を検出して、信号の検知をＣＰＵ１２に通知する。信号検出回路２３は、例えばＣＩ（Ｃａｌｌ  Ｉｎｄｉｃａｔｏｒ）信号を検出する。
【００３１】
オフフック検出回路２４は、電話機９０に接続される。オフフック検出回路２４は、電話機９０のオフフック状態を検出して、検出結果をＣＰＵ１２に出力する。オフフック状態とは、電話機９０のハンドセットを取り上げた状態をいう。
【００３２】
着信鳴動部２７は、着信ベルを鳴動させるための着信ベル信号を出力する。着信鳴動部２７は、呼出電圧発生回路２５及びＨリレー２６によって構成される。
呼出電圧発生回路２５は、一般的なＣＩ信号と同様の信号である着信ベル信号としての擬似ベル信号を発生して電話機９０を鳴動させ、ユーザに着信を知らせる機能を有する。擬似ベル信号とは、外部装置からのＣＩ信号の受信に対して電話機９０を鳴動させるための信号である。呼出電圧発生回路２５は、信号検出回路２３によってＣＩ信号が検出されれば、擬似ベル信号を発生する。
また、呼出電圧発生回路２５は、電話機９０のオフフック状態の検出時に、電話機９０に所定電流を供給する。具体的に呼出電圧発生回路２５は、電話機９０のオフフック状態を検出するために、電話機９０に所定電流を供給する。
【００３３】
Ｈリレー２６は、電話機９０を電話回線２９と呼出電圧発生回路２５とに選択的に接続するために設けられている。ＣＰＵ１２の制御により、Ｈリレー２６が接点ａ側に切り換えられたときには、電話機９０が電話回線２９側に接続され、Ｈリレー２６が接点ｂ側に切り換えられたときには、電話機９０が呼出電圧発生回路２５側に接続される。なお、ファクシミリ装置１において外部装置からの着信を待機している状態では、Ｈリレー２６がｂ接点側に接続されて、電話機９０と呼出電圧発生回路２５とが接続されている。また、呼出電圧発生回路２５において発生した擬似ベル信号は、Ｈリレー２６の配置状態に応じて電話機９０へと出力される。
第２トランス２８は、電話機９０とモデム１６との間に接続されている。
【００３４】
（２−２）メイン制御ユニット
メイン制御ユニット１１は、ファクシミリ装置１の基本動作を制御し、またＮＣＵ２０の制御を行う。メイン制御ユニット１１は、前述のとおり省エネルギーモード又は通常モードで動作する。メイン制御ユニット１１は、ＣＰＵ１２、モデム１６及び記憶部１７を有する。
【００３５】
ＣＰＵ１２は、所定のプログラムに従って、ファクシミリ装置１を構成する各部を制御する。また、ファクシミリ装置１が通常モードである場合にのみ、着信鳴動部２７を制御する。具体的にＣＰＵ１２は、信号検出部１３、受信制御部１４及びモード通知部１５を含み、ファクシミリ装置１が通常モードである場合にのみ以下の動作を行う。
【００３６】
信号検出部１３は、電話回線２９に回線変化があった場合に信号検出回路２３がＣＩ信号を検出したかどうか判断する。
【００３７】
受信制御部１４は、信号検出部１３がＣＩ信号を検出したと判断された場合にＮＣＵ２０を制御する。具体的には、受信制御部１４は、ＮＣＵ２０のリレー制御及び鳴動の制御を行う。例えば、受信制御部１４は、Ｈリレー２６を接点ｂ側に接続させて呼出電圧発生回路２５からの擬似ベル信号によって、電話機９０において着信ベルを鳴動させる制御を行う。このとき受信制御部１４は、後述する第１鳴動規定回数記憶部１８に記憶された規定の鳴動回数に従って電話機９０で着信ベルを鳴動させるために、呼出電圧発生回路２５からの擬似ベル信号をカウントする。その後受信制御部１４は、電話機９０で着信ベルを規定の鳴動回数分鳴動させるための擬似ベル信号が呼出電圧発生回路２５から出力されれば、Ｈリレー２６を接点ａ側に切り換えて、呼出電圧発生回路２５から電話機９０への擬似ベル信号の出力を停止させる。また、受信制御部１４は、ファクシミリ受信の指示を受け付ければ、ＣＭＬリレー２１を電話機９０からモデム１６側に切り換えてファクシミリ受信の処理を行う。
【００３８】
モード通知部１５は、ファクシミリ装置１におけるモードの移行があれば、モードの移行をサブ制御ユニット３０へ通知する。例えば、ファクシミリ装置１が通常モードから省エネルギーモードへ移行を開始する場合、又は省エネルギーモードから通常モードへ復帰した場合に、モードの移行の通知をサブ制御ユニット３０へと出力する。
【００３９】
モデム１６は、デジタル信号とアナログ信号を相互変換する変復調装置であり、ファクシミリ通信用のファクシミリモデムの機能を有する。モデム１６は、ＮＣＵ２０と直接接続されている。
【００４０】
記憶部１７は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）から構成される。ＲＯＭは、ＣＰＵ１２に読み込まれる各種プログラムを記憶している。ＲＡＭは、予め登録された各種設定情報を記憶するＣＰＵ１１の主メモリであり、各種プログラムを実行するワークエリアとして機能する。また、本実施形態の記憶部１７は、鳴動規定回数記憶部１００を構成する第１鳴動規定回数記憶部１８を含む。
第１鳴動規定回数記憶部１８は、電話機９０の着信ベルの鳴動回数を記憶する。本実施形態では、電話機９０の着信ベルの鳴動回数を予め規定でき、規定された鳴動回数が第１鳴動規定回数記憶部１８に記憶されている。
【００４１】
このような基本ブロック１０において、ＮＣＵ２０に対して電話回線２９に回線変化があり、信号検出回路２３によるＣＩ信号の検出が判断されれば、呼出電圧発生回路２５により擬似ベル信号が出力される。ここでＨリレー２６はｂ接点側に接続されており、Ｈリレー２６を介して呼出電圧発生回路２５からの擬似ベル信号は電話機９０へと出力され、電話機９０が鳴動する。
【００４２】
このとき、ＣＰＵ１２の受信制御部１４は、第１鳴動規定回数記憶部１８に記憶された鳴動回数分電話機９０にて着信ベルが鳴動されるように、着信鳴動部２７を制御する。具体的に受信制御部１４は、呼出電圧発生回路２５から出力される擬似ベル信号をカウントし、規定の鳴動回数までの擬似ベル信号が出力された段階でＨリレー２６を接点ａ側に切り換え、電話機９０と呼出電圧発生回路２５との接続を解消させる。これにより、電話機９０の着信ベルが第１鳴動規定回数記憶部１８に記憶された規定の鳴動回数分だけ鳴動する。その後ＣＰＵ１２は、ＣＭＬリレー２１をｂ接点側に切り換え、電話回線２９とモデム１６とを接続され、ファクシミリ装置１がファクシミリ受信の処理を実行するための制御を行う。
【００４３】
（３）サブ制御ユニットの機能構成
サブ制御ユニット３０は、ファクシミリ装置１が省エネルギーモード又は省エネルギーモードから通常モードへの復帰の際に、メイン制御ユニット１１に代わって、電話回線２９を介した通信に関する着信の制御を行う。サブ制御ユニット３０について、再び図２を参照して説明する。
【００４４】
上記のとおり、ファクシミリ装置１が通常モードで動作している場合には、メイン制御ユニット１１がＮＣＵ２０を制御する。すなわち、メイン制御ユニット１１のＣＰＵ１２が、信号検出回路２３によるＣＩ信号の検出後、規定の鳴動回数分電話機９０にて着信ベルが鳴動されるように着信鳴動部２７を制御する。しかし、メイン制御ユニット１１が省エネルギーモードである場合又は省エネルギーモードから通常モードへ復帰している場合には、上記のとおりの着信の制御を行えない。
そこで、ファクシミリ装置１が省エネルギーモード又は省エネルギーモードから通常モードへの復帰の際には、サブ制御ユニット３０がＮＣＵ２０を制御する。
【００４５】
サブ制御ユニット３０は、サブＣＰＵ３１及び第２鳴動規定回数記憶部３５を有する。
サブＣＰＵ３１は、モード通知部１５から、ファクシミリ装置１が通常モードから省エネルギーモードへ移行する移行通知を受信した後、省エネルギーモードから通常モードへの復帰の通知を受信するまで、着信鳴動部２７を制御する。具体的に、サブＣＰＵ３１は、サブ信号検出部３２、サブ受信制御部３３及び結果通知部３４を含み、以下の動作を行う。
【００４６】
サブ信号検出部３２は、電話回線２９に回線変化があった場合に信号検出回路２３がＣＩ信号を検出したかどうか判断する。また、サブ信号検出部３２は、ＣＩ信号を検出したと判断した場合には、メイン制御ユニット１１のＣＰＵ１２に対して省エネルギーモードから通常モードへの復帰のリクエストを送信する。
【００４７】
サブ受信制御部３３は、信号検出回路２３がＣＩ信号を検出したと判断した場合に、ＮＣＵ２０における着信鳴動部２７のリレー制御及び擬似ベル信号の出力の制御を開始する。例えば、サブ受信制御部３３は、Ｈリレー２６を接点ｂ側に接続させて、呼出電圧発生回路２５からの擬似ベル信号によって、電話機９０で着信ベルを鳴動させる制御を行う。このときサブ受信制御部３３は、第２鳴動規定回数記憶部３５に記憶された鳴動回数に従って電話機９０で着信ベルを鳴動させるために、呼出電圧発生回路２５から出力された擬似ベル信号をカウントする。サブ受信制御部３３は、電話機９０で着信ベルを規定の鳴動回数分鳴動させるための擬似ベル信号が呼出電圧発生回路２５から出力されれば、Ｈリレー２６を接点ａ側に切り換えて、呼出電圧発生回路２５から電話機９０への擬似ベル信号の出力を停止させる。
【００４８】
結果通知部３４は、モード通知部１５からファクシミリ装置１の通常モードへの復帰通知を受信した場合に、サブ受信制御部３３による制御の結果をメイン制御ユニット１１のＣＰＵ１２へと通知する。例えば、結果通知部３４は、Ｈリレー２６に関する制御及び呼出電圧発生回路２５からの擬似ベル信号の出力の停止等、着信鳴動部２７に対する制御結果をＣＰＵ１２へ通知する。
【００４９】
第２鳴動規定回数記憶部３５は、電話機９０の着信ベルの鳴動回数を記憶する記憶部である。第２鳴動規定回数記憶部３５には、第１鳴動規定回数記憶部１８に記憶された鳴動回数と同じ鳴動回数が格納される。
【００５０】
（４）メイン制御ユニット及びサブ制御ユニットによるＮＣＵの制御
次に、メイン制御ユニット１１及びサブ制御ユニット３０によるＮＣＵ２０の制御の流れを、図３を参照して説明する。図３は、メイン制御ユニット１１、サブ制御ユニット３０及びＮＣＵ２０間における信号の流れを示すフローチャートである。
以下、通常モードから省エネルギーモードに移行するファクシミリ装置１におけるメイン制御ユニット１１及びサブ制御ユニット３０によるＮＣＵ２０の制御の流れを説明する。
【００５１】
まず、メイン制御ユニット１１のＣＰＵ１２は、ファクシミリ装置１を通常モードから省エネルギーモードへと移行させる（ステップＳ１０１）。続いて、ＣＰＵ１２のモード通知部１５は、省エネルギーモードへの移行をサブ制御ユニット３０のサブＣＰＵ３１に通知する（ステップＳ１０２）。省エネルギーモードへの移行の通知を受ければ、サブＣＰＵ３１のサブ信号検出部３２は、第１メイン制御ユニット１１に代わってＮＣＵ２０の制御を開始する（ステップＳ１０３）。
ＮＣＵ２０において、電話回線２９の回線変化が検出されると（ステップＳ１０４でＹｅｓ）、ＮＣＵ２０は、回線変化の通知をサブ制御ユニット３０のサブＣＰＵ３１へと通知する（ステップＳ１０５）。
ＮＣＵ２０から回線変化の通知を受信すれば、サブＣＰＵ３１のサブ信号検出部３２は、信号検出回路２３がＣＩ信号を検出しているかどうか判断する。信号検出回路２３がＣＩ信号を検出していると判断されれば（ステップＳ１０６でＹｅｓ）、サブ信号検出部３２は、メイン制御ユニット１１のＣＰＵ１２に対して省エネルギーモードから通常モードへの復帰リクエストを送信する（ステップＳ１０７）。
【００５２】
その後、サブＣＰＵ３１のサブ受信制御部３３は、ＮＣＵ２０の着信の鳴動制御を開始する（ステップＳ１０８）。具体的には、サブ受信制御部３３は、第２鳴動規定回数記憶部３５に記憶された鳴動回数分電話機９０で着信ベルを鳴動させるために、呼出電圧発生回路２５から出力される擬似ベル信号をカウントする。その後、所定の鳴動回数分、電話機９０で着信ベルを鳴動させるための擬似ベル信号が呼出電圧発生回路２５から出力されれば、Ｈリレー２６を接点ａ側に切り換えて、電話機９０への呼出電圧発生回路２５からの擬似ベル信号の出力を停止する制御をする。
【００５３】
一方、サブ信号検出部３２から省エネルギーモードから通常モードへの復帰リクエストを受信すれば、メイン制御ユニット１１のＣＰＵ１３は、ファクシミリ装置１を通常モードへと復帰させる（ステップＳ１０９）。
その後、ファクシミリ装置１が通常モードへと復帰すれば（ステップＳ１１１でＹｅｓ）、ＣＰＵ１５のモード通知部１５は、通常モードへの復帰通知をサブ制御ユニット３０のサブＣＰＵ３１へと通知する（ステップＳ１１１）。
通常モードへの復帰通知を受信した後、サブ制御ユニット３０の結果通知部３４は、サブ受信制御部３３によるＮＣＵ２０の着信鳴動部２７に対する制御結果をメイン制御ユニット１１へと通知する（ステップＳ１１２）。
【００５４】
また、通常モードへの復帰通知を受信した後は、サブ制御ユニット３０によるＮＣＵ２０の制御は終了し、メイン制御ユニット１１によってＮＣＵ２０が制御される。すなわち、その後電話回線２９の回線変化が検出されると（ステップＳ１１３でＹｅｓ）、ＮＣＵ２０は、回線変化の通知をメイン制御ユニット１１のＣＰＵ１２へと通知する（ステップＳ１１４）。その後、メイン制御ユニット１１がＮＣＵ２０を制御してファクシミリ受信の処理を実行する（ステップＳ１１５）。
【００５５】
上記のとおり、メイン制御ユニット１１の状態が省エネルギーモード又は省エネルギーモードから通常モードへの復帰中であっても、メイン制御ユニット１１に代わってサブ制御ユニット３０が着信鳴動部２７を制御できる。従って、ファクシミリ装置１において、メイン制御ユニット１１の状態に関係なく、着信鳴動部２７による着信ベル信号の発生を制御でき、着信ベルが必要以上に鳴動し続けることを防止できる。
【００５６】
（５）特徴
上記実施形態は、下記のように表現可能である。
（Ａ）ファクシミリ装置１は、着信鳴動部２７と、ＣＰＵ１２と、サブＣＰＵ３１とを備える。着信鳴動部２７は、公衆回線網を介した着信が検出された場合に着信ベルを鳴動させるための着信ベル信号を出力する。ＣＰＵ１２は、省エネルギーモード又は通常モードで動作し、通常モードで動作している場合にのみ着信鳴動部２７を制御する。サブＣＰＵ３１は、ＣＰＵ１２が省エネルギーモード又は省エネルギーモードから通常モードへの復帰中である場合に着信鳴動部２７を制御する。
【００５７】
（Ｂ）ファクシミリ装置１は、規定された着信ベルの鳴動回数を記憶する鳴動規定回数記憶部１００をさらに備える。サブＣＰＵ３１は、鳴動規定回数記憶部１００に記憶された鳴動回数に基づいて着信鳴動部２７を制御する。
（Ｃ）鳴動規定回数記憶部１００は、規定された着信ベルの鳴動回数を記憶する第１鳴動規定回数記憶部１８と、規定された着信ベルの鳴動回数を記憶する第２鳴動規定回数記憶部３５と、を有している。ＣＰＵ１２は、第１鳴動規定回数記憶部１８に記憶された鳴動回数に基づいて、着信鳴動部２７を制御し、サブＣＰＵ３１は、第２鳴動規定回数記憶部３５に記憶された鳴動回数に基づいて、着信鳴動部２７を制御する。
（Ｄ）着信鳴動部２７は、規定された着信ベルの鳴動回数に基づき着信ベル信号を出力する。
【００５８】
（Ｅ）サブＣＰＵ３１は、ＣＰＵ１２が通常モードへ復帰した後にサブＣＰＵ３１による着信鳴動部２７に対する制御結果をＣＰＵ１２に通知する結果通知部３４を有する。
（Ｆ）サブＣＰＵ３１は、サブＣＰＵ３１が着信鳴動部２７を制御している間にＣＰＵ１２が通常モードへ復帰した場合に、ＣＰＵ１２が通常モードへ復帰するまでの着信鳴動部２７に対するサブＣＰＵ３１による制御結果をＣＰＵ１２に通知する結果通知部３４を有する。
【００５９】
２．他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【００６０】
（ａ）上記の例では、鳴動規定回数記憶部１００が、メイン制御ユニット１１に配置された第１鳴動規定回数記憶部１８及びサブ制御ユニット３０に配置された第２鳴動規定回数記憶部３５を有する例を挙げた。しかし、規定された電話機９０の着信ベルの鳴動回数を記憶できる記憶部であれば、鳴動規定回数記憶部１００は上記の例に限定されない。例えば、鳴動規定回数記憶部１００は、ＣＰＵ内部にある記憶部から構成されていてもよい。
また、鳴動規定回数記憶部１００として、ファクシミリ装置１は、メイン制御ユニット１１に配置された第１鳴動規定回数記憶部１８のみを有していていてもよい。この場合、サブ制御ユニット３０は、第１鳴動規定回数記憶部１８に記憶された鳴動回数に従って着信鳴動部２７を制御して電話機９０で着信ベルを鳴動させてもよい。
【００６１】
（ｂ）結果通知部３４は、サブ受信制御部３３による擬似ベル信号のカウント回数をメイン制御ユニット１１のＣＰＵ１２へと通知してもよい。
例えば、サブ受信制御部３３が呼出電圧発生回路２５からの擬似ベル信号のカウントを行っていて着信ベルが鳴動している最中にモード通知部１５からファクシミリ装置１の通常モードへの復帰通知を受信する場合がある。この場合、結果通知部３４は、それまでの擬似ベル信号のカウント回数をメイン制御ユニット１１のＣＰＵ１２へと通知し、ＮＣＵ２０に対する制御を終了してもよい。
その後、メイン制御ユニット１１の受信制御部１４によって、引き続き呼出電圧発生回路２５からの擬似ベル信号のカウント及び呼出電圧発生回路２５から電話機９０への擬似ベル信号の出力の停止が制御されてもよい。その結果、第１鳴動規定回数記憶部１８に記憶された鳴動回数を超えて着信ベルが鳴動することを防止できる。
【００６２】
（ｃ）上記の実施形態では、サブＣＰＵ３１のサブ信号検出部３２がメイン制御ユニット１１へ復帰リクエストを送信した後に、サブ受信制御部３３がＮＣＵ２０の制御を開始する例を挙げた。しかし、サブＣＰＵ３１における復帰リクエストの送信及びＮＣＵ２０の制御のタイミングはこの例に限定されず、復帰リクエストの送信とＮＣＵ２０の受信制御の開始は同時のタイミングであってもよい。また、ＮＣＵ２０の受信制御の開始された後に復帰リクエストの送信が実行されてもよい。
【産業上の利用可能性】
【００６３】
本発明は、省エネルギーモードを有するファクシミリ装置に広く適用できる。
【符号の説明】
【００６４】
１      ファクシミリ装置
１０    基本ブロック
１１    メイン制御ユニット
１２    ＣＰＵ
１３    信号検出部
１４    受信制御部
１５    モード通知部
１６    モデム
１７    記憶部
１８    第１鳴動規定回数記憶部
２０    ＮＣＵ
２１    ＣＭＬリレー
２２    第１トランス
２３    信号検出回路
２４    オフフック検出回路
２５    呼出電圧発生回路
２６    Ｈリレー
２７    着信鳴動部
２８    第２トランス
２９    電話回線
３０    サブ制御ユニット
３１    サブＣＰＵ
３２    サブ信号検出部
３３    サブ受信制御部
３４    結果通知部
３５    第２鳴動規定回数記憶部
４０    機能ブロック
４１    読取部
４２    操作部
４３    画像メモリ
４４    コーデック
４５    表示部
４６    記録部
４７    ＬＡＮインターフェース
５０    電力供給装置
６０    電力供給コントローラ
６１    電力供給ライン
７０    システムバス
８０    公衆回線網
９０    電話機
１００  鳴動規定回数記憶部
【図１】
0005790183.tif 000002
【図２】
0005790183.tif 000003
【図３】
0005790183.tif 000004